(57)【要約】【課題】  床パネルを受ける床受部材を弾性支持して床衝撃音を低減しながら、床パネル及び床受部材の固定を簡単かつ確実に行う床構造を提供する。【解決手段】  この床構造は、液封マウント(３)(３)…の固定ボルト(16)(16)…を、床パネル(10)(10)…の端部を受ける床受部材(30)のボルト挿通孔(32)(32)…に挿通させるとともに、その固定ボルト(16)(16)…の先端部に押付部材(50)を取り付けて、その押付部材(50)によって床パネル(10)の上面を押さえ付けている。【選択図】  図６
2006283416.tif 000002
【特許請求の範囲】
【請求項１】
床パネルの端部を受ける床受部材と床梁との間に弾性支持部材を介在させて、床パネルを床梁に弾性支持するようにした床構造であって、前記弾性支持部材から上方へ向けて突出する固定ボルトを、前記床受部材のボルト挿通孔に挿通させるとともに、その固定ボルトの先端部に押付部材を取り付けて、その押付部材によって前記床パネルの上面を下方へ向けて押さえ付けるようにしたことを特徴とする建物の床構造。
【請求項２】
前記床受部材は、長手方向に曲げ剛性を高めた形鋼からなる請求項１記載の建物の床構造。
【請求項３】
前記床受部材は、溝部が下向きに開口する溝形鋼からなり、その床受部材のウエブ上面に前記床パネルの端部を載置するとともに、床受部材のウエブ下面と床梁上面との間に前記弾性支持部材を介在させるようにした請求項１又は２記載の建物の床構造。
【請求項４】
前記押付部材は、前記固定ボルトを挿通させた状態で前記床パネル上面に当接する当接プレートと、前記固定ボルトに螺合して前記当接プレートを押し込むナットとを備えている請求項１乃至３のいずれかに記載の建物の床構造。
【請求項５】
前記床梁の長手方向に沿って配置した前記床受部材によって、前記床梁の長手方向に隣接する複数の床パネルの端部を受けるようにした請求項１乃至４のいずれかに記載の建物の床構造。
【請求項６】
前記床梁の長手方向に間隔をあけて前記床受部材に複数のボルト挿通孔を形成するとともに、それらボルト挿通孔間において前記床受部材にパネル固定用ボルトを立設した請求項５記載の建物の床構造。
【請求項７】
前記床パネルは、鉄筋に形鋼を溶接してなる補強部材をコンクリート基材に埋設してなり、その床パネル端下部を切り欠くことによって側方へ張り出した張出部を、前記床受部材に載置した１乃至６のいずれかに記載の建物の床構造。
【請求項８】
前記弾性支持部材に、前記床梁へ固定するための脚ボルトを設けた請求項１乃至７のいずれかに記載の建物の床構造。
【発明の詳細な説明】
【技術分野】
【０００１】
この発明は、例えば住宅やマンション等の建物の床構造に関する。
【背景技術】
【０００２】
従来の住宅等の床として、床梁の上面にＡＬＣ等の床パネルを直接載置した構造となっているものがある。しかし、このような床の場合、物が落下したときや子供が飛び跳ねたとき等に発生する床パネルの床衝撃音が、床梁を介して階下に伝搬し易く、騒音の原因になることが多かった。
【０００３】
このため、床パネルそのものの重量を重くしたり、床梁や床パネルの剛性を大きくして、床の防振性能を高めるといった対策が施されていたが、この場合、建物の重量が重くなり、骨組や基礎への影響が大きく、また大幅なコストアップを招くといった不具合があった。
【０００４】
そこで、近年では、例えば特許文献１〜３に開示されているように、床梁に取り付けた防振ゴムや液封マウント等の弾性支持部材によって床受部材を弾性支持して、この床受部材に複数のＡＬＣ等の床パネルの端部を設置することで、床衝撃音を低減するようにした床構造が提案されている。
【０００５】
【特許文献１】特開２００２−１０６０９９号公報
【特許文献２】特開２００２−２０１７５４号公報
【特許文献３】特開２００４−２１８４１３号公報
【発明の開示】
【発明が解決しようとする課題】
【０００６】
しかしながら、上記のような床構造においては、例えば床受部材を弾性支持部材に固定し、さらに床パネルの端部を床受部材に固定するといったように構造が複雑になって、設備費が高くなるといった不具合があった。
【０００７】
そこで、この発明は、上記の不具合を解消して、床パネルを受ける床受部材を弾性支持して床衝撃音を低減しながら、床パネル及び床受部材の固定を簡単かつ確実に行うことができる床構造の提供を目的とする。
【課題を解決するための手段】
【０００８】
上記の課題を解決するため、この発明の建物の床構造は、例えばＡＬＣ等からなる床パネルの端部を受ける床受部材と床梁との間に弾性支持部材を介在させて、床パネルを床梁に弾性支持するようにした床構造であって、前記弾性支持部材から上方へ向けて突出する固定ボルトを、前記床受部材のボルト挿通孔に挿通させるとともに、その固定ボルトの先端部に押付部材を取り付けて、その押付部材によって前記床パネルの上面を下方へ向けて押さえ付けるようにしたことを特徴とする。
【０００９】
具体的に、前記床受部材は、長手方向に曲げ剛性を高めた形鋼からなる。また、前記床受部材は、溝部が下向きに開口する溝形鋼からなり、その床受部材のウエブ上面に前記床パネルの端部を載置するとともに、床受部材のウエブ下面と床梁上面との間に前記弾性支持部材を介在させるようにしている。
【００１０】
さらに、前記押付部材は、前記固定ボルトを挿通させた状態で前記床パネル上面に当接する当接プレートと、前記固定ボルトに螺合して前記当接プレートを押し込むナットとを備えている。
【００１１】
また、前記床梁の長手方向に沿って配置した前記床受部材によって、前記床梁の長手方向に隣接する複数の床パネルの端部を受けるようにしている。
【００１２】
さらに、前記床梁の長手方向に間隔をあけて前記床受部材に複数のボルト挿通孔を形成するとともに、それらボルト挿通孔間において前記床受部材にパネル固定用ボルトを立設している。
【００１３】
また、前記床パネルは、鉄筋に形鋼を溶接してなる補強部材をコンクリート基材に埋設してなり、その床パネル端下部を切り欠くことによって側方へ張り出した張出部を、前記床受部材に載置している。
【００１４】
さらに、前記弾性支持部材に、前記床梁へ固定するための脚ボルトを設けている。
【発明の効果】
【００１５】
この発明の床構造においては、床パネルを受ける床受部材を弾性支持して床衝撃音を低減することができる。しかも、弾性支持部材に備え付けの固定ボルトを床受部材のボルト挿通孔に挿通させて、その固定ボルトに取り付けた押付部材によって床パネルを押さえ付けるだけの簡単な構造によって、弾性支持部材に対する床受部材の位置ずれを防止しながら、床パネル及び床受部材を弾性支持部材に対して確実に固定することができる。
【００１６】
また、長手方向に曲げ剛性を高めた形鋼からなる床受部材によって、床パネルの端部を受けることで、床受部材の変形を抑制して、床パネルの支持強度を高めることができる。
【００１７】
さらに、溝形鋼からなる床受部材のウエブ上面に床パネルの端部を載置し、床受部材のウエブ下面と床梁上面との間に弾性支持部材を介在させているので、弾性支持部材と床パネルとの間の床受部材による床レベルの嵩上げを抑えることができる。
【００１８】
さらに、複数の床パネルの端部を受ける床受部材を用いて、この床受部材と床梁との間に弾性支持部材を介在させることで、複数の床パネルを同時に弾性支持することができ、弾性支持部材の設置個数を減らすことができる。
【００１９】
さらにまた、弾性支持部材の設置個数を減らすことで、弾性支持部材の固定ボルトによって固定されない床パネルが生じても、床受部材にパネル固定用ボルトを立設することで、そのような床パネルをパネル固定用ボルトを利用して床受部材に固定することができる。
【００２０】
さらに、床パネルの張出部を床受部材に載置することによって、床パネルの高さレベルを抑えることができる。また、弾性支持部材に脚ボルトを設けることで、床梁の既設のボルト貫通孔を利用して、弾性支持部材を床梁に簡単かつ安定して固定することができる。
【発明を実施するための最良の形態】
【００２１】
以下、この発明の実施形態を図面に基づいて詳細に説明する。この発明の一実施形態に係る床構造は、住宅やマンション等の上層階において適用され、図１及び図２に示すように、床梁(１)(１)…と床材(２)との間に、減衰機構を有する複数の第１の弾性支持部材(３)(３)…と、減衰機構を有しない複数の第２の弾性支持部材(４)(４)…とを併用して介在させて、床材(２)を床梁(１)(１)…に対して弾性支持したものである。
【００２２】
床梁(１)(１)…は、Ｈ形鋼からなり、フランジ(５)(６)が上下に互いに平行になるようにして方形枠状に組み付けられている。そして、各梁(１)の上フランジ(５)には、複数のボルト貫通孔(７)(７)…が形成されている。(図７参照)
【００２３】
床材(２)は、複数のＡＬＣからなる床パネル(10)(10)…を敷設することによって構成されている。床パネル(10)は、図３に示すように、平面視長方形状に形成されており、その短手方向に沿った端部中央には、切欠部(11)(11)が夫々形成されている。この切欠部(11)は、床パネル(10)の上面から下面に跨って形成した断面半円状の縦溝(11ａ)と、この縦溝(11ａ)の上端に連続して床パネル(10)の上面に形成した方形状の横溝(11ｂ)とからなる。
【００２４】
第１の弾性支持部材(３)としては、例えば図４に示すような液封マウントが用いられている。
【００２５】
この液封マウント(３)は、外装ケース(15)内に、ゴム弾性体と、粘性流体を封入した複数の液室と、これら液室を連通するオリフィス通路とが設けられている。そして、この液封マウント(３)においては、床パネル(10)(10)…に衝撃が加わると、ゴム弾性体が圧縮変形して床衝撃音を低減するようになっている。しかも、床パネル(10)(10)…に歩行振動が加わると、ゴム弾性体の圧縮変形により各液室の体積が変化することで、粘性液体がオリフィス通路を通って両液室間を移動し、そのときに生じる粘性液体の反力によって歩行振動を減衰するようになっている。すなわち、ゴム弾性体、液室及びオリフィス通路から構成される減衰機構によって、歩行振動を抑制するようになっている。
【００２６】
この液封マウント(３)におけるゴム弾性体のばね定数は、床材(２)における床衝撃音を効果的に低減するように例えば１１００Ｎ／ｍｍに設定されており、また減衰機構は、床材(２)における例えば１５Ｈｚ付近の歩行振動を効果的に抑制するようにチューニングされている。なお、このチューニングは、粘性流体の粘度や、オリフィスの径や長さ等を適宜調整することによってなされている。
【００２７】
そして、この液封マウント(３)は、高さを低く抑えた略短円柱状に形成されており、その平面から見た横幅が、床梁(１)の上フランジ(５)上面の短手方向の横幅と略同じか若しくは若干長くなっている。液封マウント(３)の上面側には、上方へ向けて突出する固定ボルト(16)が取り付けられ、下面側には、下方へ向けて突出する一対の脚ボルト(17)(17)が取り付けられている。
【００２８】
第２の弾性支持部材(４)としては、例えば図５に示すような防振ゴム材が用いられている。この防振ゴム材(４)は、例えば３枚の金属板(20)(20)…をそれらの両端部間に所定の厚みを有するゴム板(21)(21)を介在させた状態で積層してなる。
【００２９】
そして、この防振ゴム材(４)は、平面視略長方形状に形成されていて、その高さは液封マウント(３)よりも低く抑えられている。そして、防振ゴム材(４)の平面から見た短手方向の横幅すなわち短辺の長さが、液封マウント(３)の横幅の略１／２で、床梁(１)の上フランジ(５)上面の短手方向の横幅の略１／２となっており、平面から見た長手方向の長さすなわち長辺の長さが、床梁(１)の上フランジ(５)上面の短手方向の横幅と略同一とされている。
【００３０】
また、防振ゴム材(４)の上側の金属板(20)には、上方へ向けて突出する固定ボルト(22)が取り付けられ、下側の金属板(20)には、下方へ向けて突出する一対の脚ボルト(23)(23)が取り付けられている。
【００３１】
この防振ゴム材(４)のばね定数は、液封マウント(３)のゴム弾性体と同様に、床材(２)における床衝撃音を効果的に低減するように例えば１１００Ｎ／ｍｍに設定されている。
【００３２】
図１は、上記構成の液封マウント(３)(３)…及び防振ゴム材(４)(４)…の配置を示している。液封マウント(３)(３)…は、床衝撃音の低減だけでなく、その減衰機構の減衰付加機能によって床材(２)の歩行感の改善にも利用するため、歩行頻度の多い床材(２)の壁際以外の部位に対応して、中間の縦方向の床梁(１)(１)に例えば約１ｍの間隔をあけて取り付けられている。また、防振ゴム(４)(４)…は、歩行感の悪化を極力招かないようにするために、歩行頻度の少ない床材(２)の壁際部位に対応して、外周の縦方向の床梁(１)(１)に例えば約１ｍの間隔をあけて取り付けられている。これら約１ｍの間隔は、床パネル(10)の短手方向に沿った端部の長さの約２倍に相当する。
【００３３】
具体的に、液封マウント(３)は、図６及び図７に示すように、その脚ボルト(17)(17)を床梁(１)の上フランジ(５)に予め設けてあるボルト貫通孔(７)(７)へ上方から挿通させて、脚ボルト(17)(17)の先端に螺合したナット(18)(18)を締め付けることで、床梁(１)の上フランジ(５)の上面に取り付けられている。
【００３４】
そして、液封マウント(３)(３)…上には、床パネル(10)(10)…の端部を受ける床受部材(30)が床梁(１)の長手方向に沿って取り付けられている。
【００３５】
床受部材(30)は、長手方向に曲げ剛性を高めた形鋼、具体的には溝部が下向きに開口する溝形鋼からなり、そのウエブ(31)には、液封マウント(３)(３)…の固定ボルト(16)(16)…に対応して複数のボルト挿通孔(32)(32)…が長手方向に間隔をあけて形成され、それらボルト挿通孔(32)(32)…間の略中央において床受部材(30)にパネル固定用ボルト(33)(33)…が立設されている。すなわち、床受部材(30)のウエブ(31)には、その長手方向に約０．５ｍの間隔をあけて、ボルト挿通孔(32)(32)…とパネル固定用ボルト(33)(33)…が交互に設けられている。
【００３６】
そして、図８に示すように、液封マウント(３)(３)…の固定ボルト(16)(16)…を、床受部材(30)のボルト挿通孔(32)(32)…に挿通させることによって、床受部材(30)のウエブ(31)の下面が液封マウント(３)(３)…の上面に当接した状態で、床受部材(30)が液封マウント(３)(３)…間に跨って取り付けられている。
【００３７】
一方、防振ゴム材(４)は、図９及び図１０に示すように、床梁(１)の上フランジ(５)に固定した土台スペーサ(25)に、脚ボルト(23)(23)を利用して取り付けられている。この取り付け状態において、防振ゴム材(４)の長辺を床梁(１)の上フランジ(５)の長手方向に沿わせている。
【００３８】
なお、防振ゴム材(４)の長辺を床梁(１)の上フランジ(５)の短手方向に沿わせるようにして、防振ゴム材(４)を配置しても良い。また、防振ゴム材(４)についても、土台スペーサ(25)を介在させることなく、液封マウント(３)と同様に、その脚ボルト(23)(23)を床梁(１)の上フランジ(５)に予め設けてあるボルト貫通孔(７)(７)へ上方から挿通させて、脚ボルト(23)(23)の先端に螺合したナットを締め付けることで、床梁(１)の上フランジ(５)の上面に取り付けるようにしても良い。この場合、液封マウント(３)の高さと略同じ高さを有する防振ゴム材(４)を用いるようにすれば良い。
【００３９】
防振ゴム材(４)を取り付ける床梁(１)は、床材(２)の壁際部位に沿って配置されていて、その上フランジ(５)には外壁の軸組(24)や柱等の他部材も取り付けられており、このような他部材の固定部位近傍はスペース的に狭くなっているが、液封マウント(３)と比べて横幅が小さい防振ゴム材(４)であるからこそ、このような狭小部位においても他部材と干渉することなく取り付けることができる。なお、防振ゴム材(４)は、液封マウント(３)(３)…を取り付けた床梁(１)(１)の両端部にも取り付けられる。
【００４０】
防振ゴム材(４)(４)…上には、床パネル(10)(10)…の端部を受ける外周床受部材(40)が床梁(１)の長手方向に沿って取り付けられている。
【００４１】
外周床受部材(40)は、略Ｌ字形の形鋼からなり、その水平片(41)には、防振ゴム材(４)(４)…の固定ボルト(22)(22)…に対応して複数のボルト挿通孔(42)(42)…が長手方向に間隔をあけて形成されている。
【００４２】
そして、図１１に示すように、防振ゴム材(４)(４)…の固定ボルト(22)(22)…を、外周床受部材(40)のボルト挿通孔(42)(42)…に挿通させて、その固定ボルト(22)(22)…の先端に螺合したナット(43)(43)…を締め付けることによって、外周床受部材(40)が防振ゴム材(４)(４)…の上面間に跨って固定される。なお、中間の縦方向の床梁(１)(１)両端部に取り付けられた防振ゴム材(４)(４)…においては、その固定ボルト(22)(22)…が床受部材(30)のボルト挿通孔(32)(32)…に挿通されて、それら固定ボルト(22)(22)…の先端部にはナットが螺合されている。
【００４３】
そして、図１２及び図１３に示すように、床受部材(30)(30)のウエブ(31)(31)上面及び外周床受部材(40)(40)の水平片(41)(41)上面には、床パネル(10)(10)…の短手方向に沿った端部が夫々載置されて、これら床受部材(30)(30)及び外周床受部材(40)(40)によって床パネル(10)(10)…が支持されている。
【００４４】
この状態において、床受部材(30)(30)のウエブ(31)(31)には、床梁(１)の長手方向と直交する方向に隣接する床パネル(10)(10)の短手方向に沿った端部が対向して載置され、それら切欠部(11)(11)の縦溝(11ａ)(11ａ)が合わさってなる筒状部に、液封マウント(３)の固定ボルト(16)や床受部材(30)のパネル固定用ボルト(33)が挿通された状態となっている。また、防振ゴム材(４)の固定ボルト(22)の先端及びナット(43)は、床梁(１)の長手方向に隣接する床パネル(10)(10)間の隙間に配置されている。
【００４５】
そして、各液封マウント(３)の固定ボルト(16)の先端部及び各パネル固定用ボルト(33)の先端部には、図６及び図１２に示すように、押付部材(50)が取り付けられている。この押付部材(50)は、固定ボルト(16)やパネル固定用ボルト(33)を挿通させた状態で、床梁(１)の長手方向と直交する方向に隣接する床パネル(10)(10)の切欠部(11)(11)の横溝(11ｂ)(11ｂ)に収容されて、床パネル(10)(10)の上面に当接する当接プレート(51)と、固定ボルト(16)の先端部やパネル固定用ボルト(33)の先端部に螺合して当接プレート(51)を下方へ押し込むナット(52)とを備えている。従って、この押付部材(50)によって、床パネル(10)(10)の上面が下方へ向けて押さえ付けられて、床パネル(10)(10)の端部が床受部材(30)に固定されるとともに、床受部材(30)が液封マウント(３)(３)…に固定され、床パネル(10)(10)…同士も床受部材(30)を介して相互に連結される。
【００４６】
また、外周床受部材(40)の水平片(41)に載置された床パネル(10)の端部中央には、ボルト貫通孔(53)が形成されていて、図９及び図１３に示すように、そのボルト貫通孔(53)には固定ボルト(55)が貫通されている。そして、固定ボルト(55)を挿通させた押当プレート(56)を、固定ボルト(55)の先端部に螺合したナット(57)により上方へ押し込むことで、押当プレート(56)が外周床受部材(40)の水平片(41)の下面及び床パネル(10)の下面に跨って押し付けられて、これによって床パネル(10)の端部が外周床受部材(40)に固定され、床パネル(10)(10)…同士も外周床受部材(40)を介して相互に連結される。
【００４７】
このようにして設置した床パネル(10)(10)…の上面すなわち床材(２)の上面には、パーティクルボード(58)やフロア材が敷設される。
【００４８】
上記構成の床構造においては、床材(２)上において物が落下したときや子供が飛び跳ねたとき等には、液封マウント(３)(３)…のゴム弾性体及び防振ゴム材(４)(４)…が弾性変形して、床材(２)から床梁(１)(１)…へ伝搬する床衝撃音を低減することができる。これにより、ＡＬＣからなる床パネル(10)(10)…を敷設してなる床材(２)の遮音性能をＬ６０程度まで下げることができる。
【００４９】
また、床材(２)上を歩行したときには、液封マウント(３)(３)…の減衰機構の作用により、歩行振動を減衰して歩行感を良好にすることができる。
【００５０】
なお、上記実施形態において、液封マウント(３)(３)…は、床梁(１)の長手方向と直交する方向に隣接する床パネル(10)(10)の短手方向の端部中央間に配置していたが、図１４に示すように、隣接する４つの床パネル(10)(10)…の角部が合わさる部分に配置させても良い。この場合、固定ボルト(16)に取り付けた押付部材によって、隣接する４つの床パネル(10)(10)…の角部上面を下方へ向けて押さえ付けることで、これら床パネル(10)(10)…を固定することになる。
【００５１】
図１５及び図１６は、別の実施形態に係る床構造を示している。この床構造に用いる床パネル(60)は、図１７及び図１８に示すように、コンクリート基材(61)に補強部材(62)を埋設することによって構成されている。
【００５２】
コンクリート基材(61)は、平面視長方形状に形成されており、その短手方向に沿った端部中央には、上記ＡＬＣのときと同様の切欠部(11)(11)が形成されている。
【００５３】
補強部材(62)は、例えば複数の棒鋼を格子状に溶接してなるメッシュ鉄筋(63)に、一対のハット形鋼(64)(64)を、それら開口部分が上向きとなるようにして互いに略平行に溶接することによって構成されている。
【００５４】
このようにして構成された補強部材(62)は、そのハット形鋼(64)(64)の凸部(65)(65)をコンクリート基材(61)の下面から突出させるようにして、コンクリート基材(61)に埋設されている。ハット形鋼(64)(64)は、コンクリート基材(61)の長手方向の略全長に亘って配されており、その凸部(65)(65)が床根太として機能するようになっている。
【００５５】
上記の床パネル(60)(60)…を用いた床構造においては、床パネル(60)(60)…がＡＬＣからなる床パネル(10)(10)…よりも重量が重いので、図１９に示すように、液封マウント(３)(３)…及び防振ゴム材(４)(４)…は、約０．５ｍ間隔で配置されている。
【００５６】
液封マウント(３)(３)…及び防振ゴム材(４)(４)…による床パネル(60)(60)…の
弾性支持は、そのハット形鋼(64)(64)の凸部(65)(65)の端部を床受部材(30)や外周床受部材(40)に載置して、外周床受部材(40)側においては押当プレート(56)を外周床受部材(40)の水平片(41)の下面及び床パネル(60)のハット形鋼(64)(64)の凸部(65)(65)下面に跨って押し付ける以外は、上記実施形態と同様になされている。なお、上記実施形態と同様の機能を有する部材については同符号を付してある。
【００５７】
このような床パネル(60)(60)…を用いた床構造においては、床パネル(60)(60)…の曲げ剛性や重量の調整を容易に行って、床材の遮音性能をＬ５５程度まで下げることができる。
【００５８】
図２０及び図２１は、さらに別の実施形態に係る床構造を示している。この床構造に用いる床パネル(70)は、図２２乃至図２４に示すように、コンクリート基材(71)に補強部材(72)を埋設することによって構成されている。
【００５９】
コンクリート基材(71)は、平面視長方形状に形成されており、その短手方向に沿った端部における厚み方向下部側をＬ形に切り欠くことによって、短手方向に沿った端部における厚み方向上部側が側方へ張り出して、張出部(77)(77)が形成されている。また、このコンクリート基材(71)の張出部(77)(77)の上面略中央には、方形状の横溝(78)(78)が夫々形成されている。
【００６０】
補強部材(72)は、例えば複数の棒鋼を格子状に溶接してなるメッシュ鉄筋(73)に、一対のハット形鋼(74)(74)を、それら開口部分が上向きとなるようにして互いに略平行に溶接することによって構成されている。
【００６１】
このようにして構成された補強部材(72)は、そのハット形鋼(74)(74)の凸部(75)(75)をコンクリート基材(71)の下面から突出させるようにして、コンクリート基材(71)に埋設されている。ハット形鋼(74)(74)は、コンクリート基材(71)の厚み方向下部側における長手方向の略全長に亘って配されており、コンクリート基材(71)の下面から突出した凸部(75)(75)が、床根太として機能するようになっている。
【００６２】
すなわち、ハット形鋼(74)(74)の突出部分である凸部(75)(75)は、コンクリート基材(71)の短手方向に沿った端部から回避した状態となっており、後述する張出部(77)(77)の床受部材(30)や外周床受部材(80)への載置に際して支障をきたさないようになっている。なお、張出部(77)(77)には、補強部材(72)のメッシュ鉄筋(73)の端部が埋設されて、補強された状態となっている。
【００６３】
上記の床パネル(70)(70)…を用いた床構造においては、床パネル(70)がＡＬＣからなる床パネル(10)よりも重量が重いので、図１９に示すように、液封マウント(３)(３)…及び防振ゴム材(４)(４)…は、例えば約０．５ｍ間隔で配置するのが好ましい。
【００６４】
液封マウント(３)(３)…及び防振ゴム材(４)(４)…による床パネル(70)(70)…の
弾性支持に際しては、各床パネル(70)におけるコンクリート基材(71)の張出部(77)(77)下面を、床受部材(30)のウエブ(31)や、長手方向に曲げ剛性を高めた略Ｌ字形の形鋼からなる外周床受部材(80)のウエブ(81)に載置して、コンクリート基材(71)の厚み方向下部側及びハット形鋼(74)(74)の凸部(75)(75)を、床受部材(30)のフランジ(34)と外周床受部材(80)のフランジ(82)との間、又は床受部材(30)(30)のフランジ(34)(34)間に落とし込むようにしている。
【００６５】
そして、各液封マウント(３)の固定ボルト(16)が、床受部材(30)のボルト挿通孔(32)に挿通されて、床梁(１)の長手方向と直交する方向に隣接する床パネル(70)(70)の張出部(77)(77)間の隙間に配され、この固定ボルト(16)の先端部に取り付けた押付部材(50)によって、床パネル(70)(70)の上面が下方へ向けて押さえ付けられて、床パネル(70)(70)の張出部(77)(77)が床受部材(30)に固定されるとともに、床受部材(30)が液封マウント(３)(３)…に固定されている。
【００６６】
一方、防振ゴム材(４)の固定ボルト(90)が、外周床受部材(80)のウエブ(81)のボルト挿通孔(83)及び張出部(77)のボルト貫通孔(53)に挿通されて、固定ボルト(90)を挿通させた当接プレート(84)を床パネル(70)の横溝(78)に収容した状態で、固定ボルト(90)の先端部に螺合したナット(91)によって当接プレート(84)を下方へ押し込むことで、床パネル(70)の張出部(77)が外周床受部材(80)に固定されるとともに、外周床受部材(80)が防振ゴム材(４)に固定されている。すなわち、当接プレート(84)及びナット(91)によって、床パネル(70)を下方へ向けて押さえ付ける押付部材(92)が構成されている。
【００６７】
なお、その他の構成については、上記実施形態と同様になされており、上記実施形態と同様の機能を有する部材については同符号を付してある。
【００６８】
このような床パネル(70)(70)…を用いた床構造においては、床パネル(70)(70)…の曲げ剛性や重量の調整を容易に行って、床材の遮音性能をＬ５５程度まで下げることができる。しかも、床パネル(70)(70)…の落とし込みにより、床レベルを低く抑えることができる。
【００６９】
この発明は、上記実施形態に限定されるものではなく、この発明の範囲内で上記実施形態に多くの修正及び変更を加え得ることは勿論である。
【図面の簡単な説明】
【００７０】
【図１】この発明の一実施形態に係る床構造における液封マウント及び防振ゴム材の配置例を示す図である。
【図２】同じくその部分斜視図である。
【図３】床パネルの斜視図である。
【図４】液封マウントの斜視図である。
【図５】防振ゴム材の斜視図である。
【図６】床構造の液封マウント付近の縦断面図である。
【図７】床梁への液封マウントの取付状態を示す斜視図である。
【図８】液封マウントへの床受部材の取付状態を示す斜視図である。
【図９】床構造の防振ゴム材付近の縦断面図である。
【図１０】床梁への防振ゴム材の取付状態を示す斜視図である。
【図１１】防振ゴム材への外周床受部材の取付状態を示す斜視図である。
【図１２】床受部材への床パネルの取付状態を示す斜視図である。
【図１３】外周床受部材への床パネルの取付状態を示す斜視図である。
【図１４】液封マウント及び防振ゴム材の他の配置例を示す図である。
【図１５】別の実施形態に係る床構造の液封マウント付近の縦断面図である。
【図１６】同じくその防振ゴム材付近の縦断面図である。
【図１７】同じくその床パネルの斜視図である。
【図１８】同じくその床パネルの縦断面図である。
【図１９】同じくその液封マウント及び防振ゴム材の配置例を示す図である。
【図２０】さらに別の実施形態に係る床構造の液封マウント付近の縦断面図である。
【図２１】同じくその防振ゴム材付近の縦断面図である。
【図２２】同じくその床パネルの斜視図である。
【図２３】同じくその床パネルの縦断面図である。
【図２４】同じくその床パネルの縦断面図である。
【符号の説明】
【００７１】
(１)  床梁
(３)  液封マウント
(４)  防振ゴム材
(10)(60)(70)  床パネル
(16)  固定ボルト
(30)  床受部材
(31)  ウエブ
(32)  ボルト挿通孔
(33)  パネル固定用ボルト
(50)(92)  押付部材
(51)(84)  当接プレート
(52)(91)  ナット
(61)(71)  コンクリート基材
(62)(72)  補強部材
(63)(73)  鉄筋
(64)(74)  形鋼
(77)  張出部
(80)  外周床受部材
(83)  ボルト挿通孔
【図１】
2006283416.tif 000003
【図２】
2006283416.tif 000004
【図３】
2006283416.tif 000005
【図４】
2006283416.tif 000006
【図５】
2006283416.tif 000007
【図６】
2006283416.tif 000008
【図７】
2006283416.tif 000009
【図８】
2006283416.tif 000010
【図９】
2006283416.tif 000011
【図１０】
2006283416.tif 000012
【図１１】
2006283416.tif 000013
【図１２】
2006283416.tif 000014
【図１３】
2006283416.tif 000015
【図１４】
2006283416.tif 000016
【図１５】
2006283416.tif 000017
【図１６】
2006283416.tif 000018
【図１７】
2006283416.tif 000019
【図１８】
2006283416.tif 000020
【図１９】
2006283416.tif 000021
【図２０】
2006283416.tif 000022
【図２１】
2006283416.tif 000023
【図２２】
2006283416.tif 000024
【図２３】
2006283416.tif 000025
【図２４】
2006283416.tif 000026